【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
付加的なデジタルメディアを提供するために用いる表示物の生成方法であって、
表示媒体の表示面の上に表示されるコンテント情報を取得し、
前記表示面における前記デジタルメディアの埋込み場所を指定する位置情報を受信し、
前記位置情報に基づいて配置される、所定形状の境界を有するマーカの前記境界の内側に含まれる前記コンテント情報の画像特徴が、前記埋込み場所を特定するのに十分な量含まれる前記マーカを出力し、
少なくとも前記デジタルメディアの取得に必要となる情報と前記境界の内側に含まれる前記コンテント情報の画像情報とを関連付けた関連付け情報を記憶手段に記憶する、
ことを特徴とする表示物の生成方法。
【請求項２】
前記マーカのサイズあるいは前記マーカの配置位置の少なくとも一方を調整して前記マーカを出力することを特徴とする請求項１記載の表示物の生成方法。
【請求項３】
前記位置情報で指定される位置の近傍で、前記コンテント情報の画像特徴の量が多い箇所が前記境界の内側に含まれるように調整して前記マーカを出力することを特徴とする請求項１または２記載の表示物の生成方法。
【請求項４】
前記マーカは、前記境界の内側に含まれ、前記デジタルメディアに関連するアイコン画像を更に備えることを特徴とする請求項１記載の表示物の生成方法。
【請求項５】
前記境界の内側で前記画像特徴の量が少ない箇所に前記アイコン画像を配置するように前記マーカを調整することを特徴とする請求項４記載の表示物の生成方法。
【請求項６】
前記表示媒体の表面上に前記コンテント情報と前記マーカとを合成して出力することを特徴とする請求項１〜５のいずれか１項に記載の表示物の生成方法。
【請求項７】
透光性を有する基材上に前記マーカを印刷出力し、前記表示媒体の表面上に前記コンテント情報を出力し、前記表示媒体と前記基材とを重ね合わせて表示物を構成することを特徴とする請求項１〜５のいずれか１項に記載の表示物の生成方法。
【請求項８】
請求項１〜７のいずれか１項に記載の生成方法により得られた表示物を用いて、前記デジタルメディアを提供するシステムであって、
前記表示物の上に表示された前記境界の全体を含む画像を取得する取得手段と、
前記画像のうち前記境界の内側に存在する画像特徴を抽出する画像特徴抽出手段と、
前記画像特徴抽出手段により抽出された画像特徴に対応する、前記記憶手段に記憶された関連付け情報に含まれる画像特徴を検索し、検索された画像特徴に関連付けられた前記デジタルメディアの取得に必要となる情報を提供する画像特徴検索手段と、
前記画像特徴検索手段により提供された前記デジタルメディアの取得に必要となる情報を用いて対応するデジタルメディアを取得する取得手段と、
前記取得手段により取得されたデジタルメディアをユーザに提供する提供手段と、
を備えることを特徴とするデジタルメディア提供システム。
【請求項９】
付加的なデジタルメディアを提供するために用いる表示物を生成するためのコンピュータプログラムであって、
コンピュータを、
表示媒体の表示面の上に表示されるコンテント情報を取得し、
前記表示面における前記デジタルメディアの埋込み場所を指定する位置情報を受信し、
前記位置情報に基づいて配置される、所定形状の境界を有するマーカの前記境界の内側に含まれる前記コンテント情報の画像特徴が、前記埋込み場所を特定するのに十分な量含まれる前記マーカを出力し、
少なくとも前記デジタルメディアの取得に必要となる情報と前記境界の内側に含まれる前記コンテント情報の画像情報とを関連付けた関連付け情報を記憶手段に記憶する、
ように動作させるための、表示物を生成するためのコンピュータプログラム。
【請求項１０】
前記マーカのサイズあるいは前記マーカの配置位置の少なくとも一方を調整して前記マーカを出力することを特徴とする請求項９記載の表示物を生成するためのコンピュータプログラム。
【請求項１１】
前記位置情報で指定される位置の近傍で、前記コンテント情報の画像特徴の量が多い箇所が前記境界の内側に含まれるように調整して前記マーカを出力することを特徴とする請求項９または１０記載の表示物を生成するためのコンピュータプログラム。
【請求項１２】
前記マーカは、前記境界の内側に含まれ、前記デジタルメディアに関連するアイコン画像を更に備えることを特徴とする請求項９記載の表示物を生成するためのコンピュータプログラム。
【請求項１３】
前記境界の内側で前記画像特徴の量が少ない箇所に前記アイコン画像を配置するように前記マーカを調整することを特徴とする請求項１２記載の表示物を生成するためのコンピュータプログラム。
【請求項１４】
請求項１〜７のいずれか１項に記載の生成方法により得られた表示物を用いて、前記デジタルメディアを提供するためのコンピュータプログラムであって、
コンピュータを、
前記表示物の上に表示された前記境界の全体を含む画像を取得する取得手段と、
前記画像のうち前記境界の内側に存在する画像特徴を抽出する画像特徴抽出手段と、
前記画像特徴抽出手段により抽出された画像特徴に対応する、前記記憶手段に記憶された関連付け情報に含まれる画像特徴を検索し、検索された画像特徴に関連付けられた前記デジタルメディアの取得に必要となる情報を提供する画像特徴検索手段と、
前記画像特徴検索手段により提供された前記デジタルメディアの取得に必要となる情報を用いて対応するデジタルメディアを取得する取得手段と、
前記取得手段により取得されたデジタルメディアをユーザに提供する提供手段と、
として動作させるためのデジタルメディア提供用コンピュータプログラム。
【請求項１５】
表示面と、
前記表示面の上に表示されたコンテント情報と、
前記表示面の上の所定の位置にデジタルメディアが関連付けられていることを表示し、  前記所定の位置の近傍の前記表示面の一部の領域の境界を表示するとともに、前記境界の内側に位置する前記コンテント情報が前記境界の内側に表示されるマーカと、
を備え、
前記デジタルメディアの取得に必要となる情報と画像特徴とを関連付けた関連付け情報の組を記憶する記憶手段を用いて、前記領域を特定するのに十分な量の前記コンテント情報の画像特徴が、前記マーカの前記境界の内側に含まれる、
ことを特徴とする表示物体。
【請求項１６】
前記所定の位置の近傍で、前記コンテント情報の画像特徴の量が多い箇所を前記境界の内側に含むように前記マーカが配置されていることを特徴とする請求項１５記載の表示物体。
【請求項１７】
前記境界内には前記デジタルメディアに関連するアイコン画像を含むことを特徴とする請求項１５記載の表示物体。
【請求項１８】
前記アイコン画像は、前記境界の内側で前記画像特徴の量が少ない箇所に配置されることを特徴とする請求項１７記載の表示物体。
【手続補正２】
【補正対象書類名】明細書
【補正対象項目名】００１０
【補正方法】変更
【補正の内容】
【００１０】
本発明の一形態である、表示物の生成方法は、付加的なデジタルメディアを提供するために用いる表示物の生成方法であって、表示媒体の表示面の上に表示されるコンテント情報を取得し、前記表示面における前記デジタルメディアの埋込み場所を指定する位置情報を受信し、前記位置情報に基づいて配置される、所定形状の境界を有するマーカの前記境界の内側に含まれる前記コンテント情報の画像特徴が、前記埋込み場所を特定するのに十分な量含まれる前記マーカを出力し、少なくとも前記デジタルメディアの取得に必要となる情報と前記境界の内側に含まれる前記コンテント情報の画像情報とを関連付けた関連付け情報を記憶手段に記憶する、ことを特徴とする。
さらに別の態様では、前記マーカのサイズあるいは前記マーカの配置位置の少なくとも一方を調整して前記マーカを出力することを特徴とする。
さらに別の態様では、前記位置情報で指定される位置の近傍で、前記コンテント情報の画像特徴の量が多い箇所が前記境界の内側に含まれるように調整して前記マーカを出力することを特徴とする。
さらに別の態様では マーカは、前記境界の内側に含まれ、前記デジタルメディアに関連するアイコン画像を更に備えることを特徴とする。
さらに別の態様では、前記境界の内側で前記画像特徴の量が少ない箇所に前記アイコン画像を配置するように前記マーカを調整することを特徴とする。
さらに別の態様では、表示媒体の表面上に前記コンテント情報と前記マーカとを合成して出力することを特徴とする。
さらに別の態様では、透光性を有する基材上にマーカを印刷出力し、前記表示媒体の表面上に前記コンテント情報を出力し、前記表示媒体と前記基材とを重ね合わせて表示物を構成することを特徴とする。
本発明の別の形態である、デジタルメディアを提供するシステムは、上記の生成方法により得られた表示物を用いて、前記デジタルメディアを提供するシステムであって、前記表示物の上に表示された前記境界の全体を含む画像を取得する取得手段と、前記画像のうち前記境界の内側に存在する画像特徴を抽出する画像特徴抽出手段と、前記画像特徴抽出手段により抽出された画像特徴に対応する、前記記憶手段に記憶された関連付け情報に含まれる画像特徴を検索し、検索された画像特徴に関連付けられた前記デジタルメディアの取得に必要となる情報を提供する画像特徴検索手段と、前記画像特徴検索手段により提供された前記デジタルメディアの取得に必要となる情報を用いて対応するデジタルメディアを取得する取得手段と、前記取得手段により取得されたデジタルメディアをユーザに提供する提供手段と、を備えることを特徴とする。
本発明の別の形態である、表示物を生成するためのコンピュータプログラムは、付加的なデジタルメディアを提供するために用いる表示物を生成するためのコンピュータプログラムであって、コンピュータを、前記表示媒体の表示面の上に表示されるコンテント情報を取得し、前記表示面における前記デジタルメディアの埋込み場所を指定する位置情報を受信し、前記位置情報に基づいて配置される、所定形状の境界を有するマーカの前記境界の内側に含まれる前記コンテント情報の画像特徴が、前記埋込み場所を特定するのに十分な量含まれる前記マーカを出力し、少なくとも前記デジタルメディアの取得に必要となる情報と前記境界の内側に含まれる前記コンテント情報の画像情報とを関連付けた関連付け情報を記憶手段に記憶するように動作させるためのコンピュータプログラムである。
さらに別の態様では、前記マーカのサイズあるいは前記マーカの配置位置の少なくとも一方を調整して前記マーカを出力することを特徴とする。
さらに別の態様では、前記位置情報で指定される位置の近傍で、前記コンテント情報の画像特徴の量が多い箇所が前記境界の内側に含まれるように調整して前記マーカを出力することを特徴とする。
さらに別の態様では、マーカは、前記境界の内側に含まれ、前記デジタルメディアに関連するアイコン画像を更に備えることを特徴とする。
さらに別の態様では、前記境界の内側で前記画像特徴の量が少ない箇所に前記アイコン画像を配置するように前記マーカを調整することを特徴とする。
さらに本発明の別の形態である、上記の生成方法により得られた表示物を用いて、前記デジタルメディアを提供するためのコンピュータプログラムは、コンピュータを、前記表示物の上に表示された前記境界の全体を含む画像を取得する取得手段と、前記画像のうち前記境界の内側に存在する画像特徴を抽出する画像特徴抽出手段と、前記画像特徴抽出手段により抽出された画像特徴に対応する、前記記憶手段に記憶された関連付け情報に含まれる画像特徴を検索し、検索された画像特徴に関連付けられた前記デジタルメディアの取得に必要となる情報を提供する画像特徴検索手段と、前記画像特徴検索手段により提供された前記デジタルメディアの取得に必要となる情報を用いて対応するデジタルメディアを取得する取得手段と、前記取得手段により取得されたデジタルメディアをユーザに提供する提供手段と、として動作させるためコンピュータプログラムである。
さらに本発明の別の形態である、表示物体は、表示面と、前記表示面の上に表示されたコンテント情報と、前記表示面の上の所定の位置にデジタルメディアが関連付けられていることを表示し、前記所定の位置の近傍の前記表示面の一部の領域の境界を表示するとともに、前記境界の内側に位置する前記コンテント情報が前記境界の内側に表示されるマーカと、を備え、前記デジタルメディアの取得に必要となる情報と画像特徴とを関連付けた関連付け情報の組を記憶する記憶手段を用いて、前記領域を特定するのに十分な量の前記コンテント情報の画像特徴が、前記マーカの前記境界の内側に含まれることを特徴とする。
さらに別の態様では、所定の位置の近傍で、前記コンテント情報の画像特徴の量が多い箇所を前記境界の内側に含むように前記マーカが配置されていることを特徴とする。
さらに別の態様では、境界内には前記デジタルメディアに関連するアイコン画像を含むことを特徴とする。
さらに別の態様では、アイコン画像は、前記境界の内側で前記画像特徴の量が少ない箇所に配置されることを特徴とする。